(57)【特許請求の範囲】
【請求項１】
入力された階調表現可能なカラー情報を含む文書データをカラー情報を破棄した多階調のモノクログレースケールデータに変換し、前記文書データ中に含まれるＮ色中の一色のデータもグレースケールデータに変換され、分版用閾値に対応する階調値として設定され、分版用閾値として指定された所望の階調値を境に前記モノクログレースケールデータを２分して２版の分版データを生成するようにした２色分版方法。
【請求項２】
カラー情報を含んで入力されたカラー情報を含む文書データをカラー情報を破棄した２５６階調のモノクログレースケールデータに変換し、前記文書データ中に含まれるＮ色中の一色のデータもグレースケールデータに変換され、分版用閾値として文書データ中に含まれているＮ色のカラーのうち所望の一色が指定されて所望の階調値よりも明るいグレースケールデータを抜き出して第１の分版データを生成するとともに、前記階調値よりも暗い残りのグレースケールデータを抜き出して第２の分版データを生成するようにした２色分版方法。
【請求項３】
前記文書データ中に含まれるオブジェクトの種類毎にその分版データを作成するか否かを選択指定自在とした請求項１又は２記載の２色分版方法。
【請求項４】
２色分解及び分版用閾値として文書データ中に含まれているＮ色のカラーのうち所望の一色を指定して所望の階調値を指定する指定手段と、
この指定手段により２色分解及び分版用閾値が指定された場合に入力された階調表現可能なカラー情報を含む文書データをモノクログレースケールデータに変換するグレースケール変換手段と、
指定された前記階調値に対して前記グレースケール変換手段により変換された前記モノクログレースケールデータの分版用閾値に対する大小を判別する閾値判別手段と、
前記文書データ中に含まれるＮ色中の一色のデータもグレースケールデータに変換されて分版用閾値に対応する階調値として設定され、この指定された階調値を境に前記モノクログレースケールデータを閾値判別手段による判別結果に応じて２分して生成された２版の分版データをページメモリに展開するメモリ展開手段と、
前記ページメモリに展開された２版の分版データを外部に出力する出力手段と、
を備える２色分版装置。
【請求項５】
２色分解及び分版用閾値として文書データ中に含まれているＮ色のカラーのうち所望の一色を指定して所望の階調値を指定する指定手段と、
この指定手段により２色分解及び分版用閾値が指定された場合にカラー情報を含んで入力されたカラー情報を含む文書データを２５６階調のグレースケールデータに変換して前記カラー情報を破棄するグレースケール変換手段と、
指定された前記階調値に対して前記グレースケール変換手段により変換された前記グレースケールデータの分版用閾値に対する明暗を判別する閾値判別手段と、
この閾値判別手段により前記階調値よりも明るいと判別されたグレースケールデータを抜き出して第１の分版データをページメモリに展開するとともに、前記階調値よりも暗いと判別された残りのグレースケールデータを抜き出して第２の分版データをページメモリに展開するメモリ展開手段と、
前記ページメモリに展開された２版の分版データを外部に出力する出力手段と、
を備える２色分版装置。
【請求項６】
前記文書データ中に含まれるオブジェクトの種類毎にその分版データを作成するか否かを選択自在に指定する指定手段と、
前記文書データ中に含まれるオブジェクトの種類を判別するオブジェクト判別手段とを備え、
前記指定手段により指定された種類のオブジェクトのみを分版の対象とするようにした請求項４又は５記載の２色分版装置。
【請求項７】
請求項４ないし６の何れか一に記載の２色分版装置の出力手段から出力される２版の分版データに基づき各々製版処理を行う少なくとも１つの製版部と、
これらの製版部により製版されたマスタ及び特色インキを用いて同一の印刷用紙に２色の印刷を順次行う少なくとも１つの印刷部と、
を備える孔版印刷装置。
【請求項８】
前記印刷部は、分版用閾値として指定された階調値に対して印刷時の階調値が補正自在である請求項７記載の孔版印刷装置。
【発明の詳細な説明】
【０００１】
【発明の属する技術分野】
本発明は、カラー印刷機やカラープリンタにおいて特色を利用した２色の単色カラー印刷を行うための２色分版方法、２色分版装置及び孔版印刷装置に関する。
【０００２】
【従来の技術】
一般に、フルカラー印刷機やフルカラープリンタでは、ブラックＫのほかに、イエローＹ、マゼンタＭ、シアンＣの４色のカラーインキやカラートナーを備えており、これらの混色によりフルカラー印刷が可能とされている。ここに、色情報を含む文書データに関してフルカラー印刷する場合には、各色Ｙ，Ｍ，Ｃ，Ｋ毎の分版ファイルを作成することが必要とされる。
【０００３】
ここに、フルカラー印刷に関してはその品質がかなり向上しているが、現状のフルカラー孔版印刷機では、レジスト精度の問題があり、なかなか実用化されない状況にある。かといって、１色のみの単色印刷だけではアピール度が小さく宣伝効果が上がらないので、２色の単色カラー印刷を可能とし、２色のうちの１色を特色（スポットカラー）としてスポット的に用いて印刷結果を差別化したいというユーザの要求がある。
【０００４】
色情報を含む文書データに関してこのように２色の単色カラー印刷する場合にも、２色に関して各色毎の分版ファイルを作成することが必要とされる。
【０００５】
【発明が解決しようとする課題】
このような特色を利用した印刷を行う場合、従来にあっては、一般には、特色分版機能を有するアプリケーションソフトを利用して分版ファイルを作成する必要がある。この際、分版したい色はアプリケーション上で明確に指定する必要がある。何れにしても、特別なアプリケーションを必要とし、一般的なアプリケーションソフトでは対処できず、不便である。
【０００６】
ちなみに、特開平９−１６７２４７号公報によれば、特別なアプリケーションを用いることなく、分版ファイルを作成するために、色情報をテーブルに保存し、特色以外の色データを全て白データに置き換えることにより特色用の分版ファイルを作成する提案がなされている。しかし、この場合も、適用対象となる文書データの言語がページ記述言語に限られており、汎用性を持たせる等の点でまだ不十分である。
【０００７】
一方、一般のアプリケーションソフトを用いて特色分版を行うこと自体は可能であるが、一般のアプリケーションソフトを用いて２色印刷を行う場合には各々の色毎に１ページずつの分版データを作成する必要がある。即ち、多色が使われた文書データからは特色分版を直接連続的に生成することはできず、色毎に作成する必要があり、取り扱いが煩雑となる。現実的にも、一般のアプリケーションソフトで特色毎にページデータを作成するのは、版間の位置合わせや全体のプレビューの確認が取りにくく、かつ、修正も困難で手間のかかる対応策となる。
【０００８】
そこで、本発明は、いわゆるプリンタドライバ上から２色分解の指定が可能で、任意の一般的なアプリケーションソフトを用いて容易に２色分版を連続的に行うことができる２色分版方法及び２色分版装置を提供することを目的とする。
【０００９】
また、本発明は、パソコン等により作成された文書データはもちろん、スキャナにより読取られた文書データの他、既に作成済みで蓄積されている文書データであっても、分版対象とし得る他、その文書データのデータ形式等を特に問わない汎用性の高い２色分版方法及び２色分版装置を提供することを目的とする。
【００１０】
さらには、本発明は、色分解に関する分版用閾値の指定が容易な２色分版方法及び２色分版装置を提供することを目的とする。
【００１１】
さらには、本発明は、オブジェクトの種類に応じて取捨選択する編集機能を持たせ得る２色分版方法及び２色分版装置を提供することを目的とする。
【００１２】
さらには、本発明は、このような２色分版装置を利用することにより連続的に２色の分版を製版することができ、２色の単色カラー印刷への対応が容易な孔版印刷装置を提供することを目的とする。
【００１３】
【課題を解決するための手段】
請求項１記載の発明の２色分版方法は、入力された階調表現可能なカラー情報を含む文書データをカラー情報を破棄した多階調のモノクログレースケールデータに変換し、前記文書データ中に含まれるＮ色中の一色のデータもグレースケールデータに変換され、分版用閾値に対応する階調値として設定され、分版用閾値として指定された所望の階調値を境に前記モノクログレースケールデータを２分して２版の分版データを生成するようにした。
【００１４】
従って、階調表現の典型例であり０％から１００％まで濃度を変化させてなるモノクログレースケールデータを利用するものとし、文書データの全てをモノクログレースケールデータに変換した後、分版用閾値として指定された階調値を境にモノクログレースケールデータを２分して２版の分版データを生成することにより、特色分版用の特別なアプリケーションソフトを用いることなく、任意の一般的なアプリケーションソフトにより作成された文書データに関して簡便に２色の単色カラー印刷用の分版データを作成することができる。この際、文書データとしては既存のデータ形式を活用し得るので、分版に際しての修正や位置合わせも容易となる。また、分版用閾値の指定、即ち、いわゆる特色の指定は文書データ中に含まれるＮ色中の一色を指定する方法であるので、細かい指定や調整は必要なく簡潔的な指定方法となる。残りの（Ｎ−１）色分はまとめて１つの分版を生成させるものとして処理され、処理が簡易化される。この指定された色はグレースケール変換に伴い、階調値に変換される
【００１５】
請求項２記載の発明の２色分版方法は、カラー情報を含んで入力されたカラー情報を含む文書データをカラー情報を破棄した２５６階調のモノクログレースケールデータに変換し、前記文書データ中に含まれるＮ色中の一色のデータもグレースケールデータに変換され、分版用閾値として文書データ中に含まれているＮ色のカラーのうち所望の一色が指定されて所望の階調値よりも明るいグレースケールデータを抜き出して第１の分版データを生成するとともに、前記階調値よりも暗い残りのグレースケールデータを抜き出して第２の分版データを生成するようにした。
【００１６】
従って、基本的には請求項１記載の発明と同様であり、入力される文書データがモノクロ原稿であってもこれをその階調に従い２色に分版して２色の印刷を行わせることにより色付きの原稿として宣伝効果を持たせ得るが、本発明では、典型例として、色情報を含む文書データに関して特色分解に対応していないアプリケーションから入力された場合であっても、特色を指定した２色分解による分版を連続的に行わせることができる。
【００１９】
請求項３記載の発明は、請求項１又は２記載の２色分版方法において、前記文書データ中に含まれるオブジェクトの種類毎にその分版データを作成するか否かを選択指定自在とした。
【００２０】
従って、オブジェクトの種類に応じてそのオブジェクトを分版の対象とするか否かを取捨選択する編集機能を持たせることができ、ユーザ所望通りの仕上りとすることができる。
【００２１】
請求項４記載の発明の２色分版装置は、２色分解及び分版用閾値として文書データ中に含まれているＮ色のカラーのうち所望の一色を指定して所望の階調値を指定する指定手段と、この指定手段により２色分解及び分版用閾値が指定された場合に入力された階調表現可能なカラー情報を含む文書データをモノクログレースケールデータに変換するグレースケール変換手段と、指定された前記階調値に対して前記グレースケール変換手段により変換された前記モノクログレースケールデータの分版用閾値に対する大小を判別する閾値判別手段と、前記文書データ中に含まれるＮ色中の一色のデータもグレースケールデータに変換されて分版用閾値に対応する階調値として設定され、この指定された階調値を境に前記モノクログレースケールデータを閾値判別手段による判別結果に応じて２分して生成された２版の分版データをページメモリに展開するメモリ展開手段と、前記ページメモリに展開された２版の分版データを外部に出力する出力手段と、を備える。
【００２２】
従って、階調表現の典型例でありグレースケール変換手段により０％から１００％まで濃度を変化させてなるモノクログレースケールデータを利用するものとし、文書データの全てをモノクログレースケールデータに変換した後、指定手段により分版用閾値として指定された階調値を境にモノクログレースケールデータを閾値判別手段により２分し、メモリ展開手段により２版の分版データを生成することにより、特色分版用の特別なアプリケーションソフトを用いることなく、任意の一般的なアプリケーションソフトにより作成された文書データに関して簡便に２色の単色カラー印刷用の分版データを作成することができる。この際、文書データとしては既存のデータ形式を活用し得るので、分版に際しての修正や位置合わせも容易となる。また、分版用閾値の指定、即ち、いわゆる特色の指定は文書データ中に含まれるＮ色中の一色を指定する方法であるので、細かい指定や調整は必要なく簡潔的な指定方法となる。残りの（Ｎ−１）色分はまとめて１つの分版を生成させるものとして処理され、処理が簡易化される。この指定された色はグレースケール変換に伴い、階調値に変換される。
【００２３】
請求項５記載の発明の２色分版装置は、２色分解及び分版用閾値として文書データ中に含まれているＮ色のカラーのうち所望の一色を指定して所望の階調値を指定する指定手段と、この指定手段により２色分解及び分版用閾値が指定された場合にカラー情報を含んで入力されたカラー情報を含む文書データを２５６階調のグレースケールデータに変換して前記カラー情報を破棄するグレースケール変換手段と、指定された前記階調値に対して前記グレースケール変換手段により変換された前記グレースケールデータの分版用閾値に対する明暗を判別する閾値判別手段と、この閾値判別手段により前記階調値よりも明るいと判別されたグレースケールデータを抜き出して第１の分版データをページメモリに展開するとともに、前記階調値よりも暗いと判別された残りのグレースケールデータを抜き出して第２の分版データをページメモリに展開するメモリ展開手段と、前記ページメモリに展開された２版の分版データを外部に出力する出力手段と、を備える。
【００２４】
従って、基本的には請求項４記載の発明と同様であり、入力される文書データがモノクロ原稿であってもこれをその階調に従い２色に分版して２色の印刷を行わせることにより色付きの原稿として宣伝効果を持たせ得るが、本発明では、典型例として、色情報を含む文書データに関して特色分解に対応していないアプリケーションから入力された場合であっても、特色を指定した２色分解による分版を連続的に行わせることができる。
【００２７】
請求項６記載の発明は、請求項４又は５記載の２色分版装置において、前記文書データ中に含まれるオブジェクトの種類毎にその分版データを作成するか否かを選択自在に指定する指定手段と、前記文書データ中に含まれるオブジェクトの種類を判別するオブジェクト判別手段とを備え、前記指定手段により指定された種類のオブジェクトのみを分版の対象とするようにした。
【００２８】
従って、オブジェクトの種類に応じてそのオブジェクトを分版の対象とするか否かを取捨選択する編集機能を持たせることができ、ユーザ所望通りの仕上りとすることができる。
【００２９】
請求項７記載の発明の孔版印刷装置は、請求項４ないし６の何れか一に記載の２色分版装置の出力手段から出力される２版の分版データに基づき各々製版処理を行う少なくとも１つの製版部と、これらの製版部により製版されたマスタ及び特色インキを用いて同一の印刷用紙に２色の印刷を順次行う少なくとも１つの印刷部と、を備える。
【００３０】
従って、請求項４ないし６の何れか一に記載の２色分版装置を利用することにより連続的に２色の分版を製版することができ、２色の単色カラー印刷への対応が容易な孔版印刷装置を提供できる。
【００３１】
請求項８記載の発明は、請求項７記載の孔版印刷装置において、前記印刷部は、分版用閾値として指定された階調値に対して印刷時の階調値が補正自在である。
【００３２】
従って、ユーザ所望通りの印刷仕上りとすることができる。
【００３３】
【発明の実施の形態】
本発明の一実施の形態を図面に基づいて説明する。本実施の形態の２色分版方法及び２色分版装置は、例えばパソコンを文書データの入力手段とする２色の単色カラー孔版印刷装置に適用されており、まず、その２色の単色カラー孔版印刷装置の構成例を図１に示す。
【００３４】
この２色の単色カラー孔版印刷装置には、軸線を中心として回転自在に設けられて各々軸線が平行となるように配置されて印刷部Ｐ，Ｐ′の主体となる多孔性円筒状の２個の版胴１，１ａ、これらの版胴１，１ａの外周面に接離する位置へ移動自在に設けられて版胴１，１ａの軸線と平行な軸線を中心として回転自在なプレスローラ２，２ａ、版胴１，１ａの外周面に巻き付けられるマスタ３，３ａを製版する製版部４，４ａ、プレスローラ２，２ａを版胴１，１ａに接離する位置へ移動させる移動機構（図示せず）、使用済みのマスタ３，３ａを版胴１，１ａから剥がして収容する排版部５，５ａ、印刷用紙６を収容する給紙台７、版胴１とプレスローラ２との間へ給紙される印刷用紙６の給紙タイミングを図るレジストローラ８、版胴１，１ａ側での印刷が終了した印刷用紙６をこの印刷用紙６の搬送方向下流側へ搬送する搬送機構９，９ａ、版胴１ａ側での印刷が終了して搬送機構９ａで搬送された印刷用紙６が排紙される排紙トレイ１０等が設けられている。
【００３５】
製版部４，４ａは、プラテンローラ１１，１１ａ、多数の発熱素子を備えてプラテンローラ１１，１１ａの外周面に押圧されるサーマルヘッド１２，１２ａ、カッタ１３，１３ａ、マスタガイド板１４，１４ａ、補助ローラ１５，１５ａ等により構成されている。プラテンローラ１１，１１ａと補助ローラ１５，１５ａとは、ステッピングモータ（図示せず）により回転駆動される。プラテンローラ１１，１１ａが回転駆動されることによりロール状態に巻かれているマスタ原紙１６，１６ａが引き出され、サーマルヘッド１２，１２ａの発熱素子が画像データに応じて発熱され、マスタ原紙１６，１６ａが加熱溶融穿孔（製版）されることによりマスタ３，３ａが作られる。マスタ３，３ａは、プラテンローラ１１，１１ａ及び補助ローラ１５，１５ａからの駆動力によりマスタガイド板１４，１４ａ上を版胴１，１ａ側へ向けて搬送され、版胴１，１ａの外周面に巻き付けられる。カッタ１３，１３ａはステッピングモータのステップ数に応じた所定のタイミングで駆動され、このカッタ１３，１３ａの駆動によりマスタ３，３ａが所定長さにカットされる。
【００３６】
版胴１，１ａの外周面には、開閉機構（図示せず）に連結されたクランパ１７，１７ａが開閉自在に設けられている。マスタガイド板１４，１４ａの先端部に対向する位置で開放されていたクランパ１７，１７ａがステッピングモータのステップ数に応じた所定のタイミングで閉止位置へ回動することにより、製版部４，４ａから搬送された製版済みのマスタ３，３ａの先端部がクランパ１７，１７ａにより挟持される。
【００３７】
版胴１，１ａの内部には、版胴１，１ａの軸線上に位置して版胴１，１ａを回転自在に支持する支軸を兼ねたインキパイプ１８，１８ａ、版胴１，１ａの内周面と微小隙間をもって矢印で示す時計方向へ回転駆動されるインキローラ１９，１９ａ、インキローラ１９，１９ａの外周面との間に微小隙間をもって配置されたドクターローラ２０，２０ａ等が設けられている。インキローラ１９，１９ａの外周面とドクターローラ２０，２０ａの外周面とで挟まれた部分には、インキパイプ１８，１８ａから供給されたインキ（例えば、シアンインキとブラックインキ）が貯溜されるインキ溜り２１，２１ａが形成されている。
【００３８】
排版部５，５ａは、排版収納ボックス２２，２２ａ、版胴１，１ａから剥がされたマスタ３，３ａを排版収納ボックス２２，２２ａ内へ送り込む排版ローラ２３，２３ａ等により構成されている。
【００３９】
搬送機構９，９ａは、少なくとも一方が回転駆動される一対の搬送ローラ２４，２５，２４ａ，２５ａ、これらの搬送ローラ２４，２５，２４ａ，２５ａの周りに捲き付けられた搬送ベルト２６，２６ａ、印刷用紙６を搬送ベルト２６，２６ａに吸着させる吸着ファン２７，２７ａ等により構成されている。なお、印刷用紙６の搬送方向に沿った各版胴１，１ａの下流側には、印刷用紙６を版胴１，１ａから剥がす剥離爪２８，２８ａが設けられている。
【００４０】
図２はプリンタドライバ３１を介してパソコン３２に接続された２色の単色カラー孔版印刷装置の制御構成を示すブロック図である。ＣＰＵ３３に対して、制御プログラムなどの固定データが格納されたＲＯＭ３４、分版データなどの各種のデータを格納するページメモリ等を備えたＲＡＭ３５、ワークエリア３６、モータ等の各種負荷３７、各種センサ３８、各種の操作キーや表示部を備えた操作部３９、サーマルヘッド用画像処理部４０を介したサーマルヘッド１２，１２ａ等が接続されている。
【００４１】
ここに、本実施の形態では、パソコン３２が孔版印刷装置に対する文書データ等の入力装置として機能する。このパソコン３２が有するキーボード操作等を通じて、印刷画面上で２色分解モードの指定、分版用閾値としての階調値の入力指定、さらには処理対象とするオブジェクトの種類（テキスト、図形、画像）の選択指定が可能とされている。ここに、指定手段としての機能が実現される。
【００４２】
このようなパソコン３２から入力される文書データに関して、プリンタドライバ３１を介して、ＲＯＭ３４に格納されたプログラムに従いＣＰＵ３３により実行される２色分版処理機能の機能的構成図を図３に示す。これは、パソコン３２を入力装置とし、製版部４，４ａにおけるサーマルヘッド１２，１２ａを出力装置とするもので、グレースケール変換手段４１とオブジェクト判別手段４２と閾値判別手段４３とメモリ展開手段４４と出力手段４５とにより構成されている。
【００４３】
グレースケール変換手段４１は、２色分解が指定された場合に色情報を含んで入力された文書データの全てを０〜２５５なる２５６階調のグレースケールデータに変換して色情報を破棄する処理を実行する。オブジェクト判別手段４２は、文書データ中に含まれるオブジェクトの種類を判別する処理を実行する。これらのグレースケール変換手段４１及びオブジェクト判別手段４２の機能は周知の技術により実現可能である。例えば、グレースケール変換手段に関しては、特開平１０−１３６２１３号公報、オブジェクト判別手段に関しては特開平１０−５１６５１号公報に示される技術を利用できる。閾値判別手段４３は指定された階調値に対してグレースケール変換手段４１により変換されたグレースケールデータの明暗を判別する処理を実行する。メモリ展開手段４４は、閾値判別手段４３により所定の階調値よりも明るいと判別されたグレースケールデータを抜き出して第１の分版データ４６ａをページメモリ４７（ＲＡＭ３５中）に展開するとともに、所定の階調値よりも暗いと判別された残りのグレースケールデータを抜き出して第２の分版データ４６ｂをページメモリ４７に展開する処理を実行する。出力手段４５は、ページメモリ４７に展開された２版の分版データ４６ａ，４６ｂをサーマルヘッド用画像処理部４０を介してサーマルヘッド１２，１２ａに出力する。
【００４４】
このような構成において、例えば、色情報を含む文書データをパソコン３２から入力させた場合の２色分版処理例を図４に示すフローチャートを参照して説明する。シアンインキを第１色（特色）、ブラックインキを第２色とする２色の単色カラー印刷を所望する場合には、パソコン３２において２色分解モードを指定し、かつ、分版用閾値となる所望の階調値を指定入力する。この際、具体的な分版用閾値の指定は、分版対象となる文書データ中に含まれているＮ色のカラーのうち、所望の１色を指定することにより行う。また、分版処理に先立ち、必要があれば、分版対象となる文書データ中に含まれているオブジェクトの種類毎、即ち、テキスト／図形／画像毎に分版処理対象とするか否かを指定する。通常は、全てのオブジェクトの種類が選択指定される。
【００４５】
まず、この処理はパソコン３２から文書データが入力されることにより開始される（ステップＳ１）。文書データが入力された場合、２色分解モードが指定されていなければ（Ｓ２のＮ）、他の処理（通常の製版印刷処理等）に移行する。２色分解モードが指定されている場合には（Ｓ２のＹ）、分版用閾値が指定されるまで待機する（Ｓ３）。分版用閾値が指定入力されると（Ｓ３のＹ）、グレースケール変換手段４１によりグレースケール変換処理が行われる（Ｓ４）。即ち、カラー情報を含む文書データを解析し、そのカラー成分を２５６階調のグレースケールデータ（モノクログレースケールデータ）に変換する処理が実行され、文書データに関してカラー情報が破棄される。この際、分版用閾値として指定されたＮ色のうちの１色のデータもグレースケールデータに変換され、分版用閾値が対応する所定の階調値Ｎ（０から２５５のうちの数値）として設定される。
【００４６】
この後、グレースケールデータに対する処理が行われる。まず、オブジェクト判別手段４２によりデータ内容を解析し、処理しようとしているテータ部分がどのようなオブジェクトの種類に属するものであるかを判別する（Ｓ５）。この判別処理の結果、テキストデータであるか（Ｓ６）、図形データであるか（Ｓ７）、画像データであるか（Ｓ８）、何れかの判別がなされる。このような判別結果に対して、そのオブジェクトの種類が分版処理対象として選択されているか否かを各々判別する（Ｓ９，Ｓ１０，Ｓ１１）。分版処理対象として選択されていない種類のオブジェクトの場合には（Ｓ９のＮ，Ｓ１０のＮ，Ｓ１１のＮ）、次のデータ処理に移行する（Ｓ１５）。
【００４７】
分版処理対象として選択されている種類のオブジェクトの場合には（Ｓ９のＹ，Ｓ１０のＹ，Ｓ１１のＹ）、閾値判別手段４３により処理対象となっているデータ部分のグレースケールデータの階調値と分版用閾値として設定されている階調値Ｎとの明暗の比較処理（大小の比較処理）が行われる（Ｓ１２）。この比較処理の結果、所望の階調値Ｎよりも明るいデータの場合には（階調値＝０〜Ｎ）（Ｓ１２のＹ）、メモリ展開手段４４によりそのデータが第１の分版データ４６ａとして抜き出され、ページメモリ４７中に展開され格納される（Ｓ１３）。一方、所望の階調値Ｎよりも暗いデータ（即ち、残りのデータ）の場合には（階調値＝（Ｎ＋１）〜２５５）（Ｓ１２のＮ）、メモリ展開手段４４によりそのデータが第２の分版データ４６ｂとして抜き出され、ページメモリ４７中に展開され格納される（Ｓ１４）。このようにして、分版用閾値として指定された所望の階調値Ｎを境にグレースケールデータを２分して第１の分版データ４６ａ、第２の分版データ４６ｂを連続的に生成する処理が、グレースケールデータが終了するまで同様に繰返される（Ｓ１５）。
【００４８】
変換処理された全てのグレースケールデータについての分版処理が終了すると（Ｓ１５のＹ）、ページメモリ４７中の第１の分版データ４６ａと第２の分版データ４６ｂとが出力手段４５により各々対応するサーマルヘッド１２，１２ａに出力され、製版処理に供される（Ｓ１６）。この製版処理により第１の色版用のマスタと第２の色版用のマスタとが形成されると、引き続き、印刷部Ｐ，Ｐ′による印刷処理が行われる。
【００４９】
即ち、第１、第２の分版データ４６ａ，４６ｂに応じたマスタ３，３ａが製版部４，４ａにより製版され、製版されたマスタ３，３ａが版胴１，１ａの外周面に巻き付けられる。版胴１，１ａの外周面へのマスタ３，３ａの巻き付けが終了した後、操作部３９に設けられている印刷スタートキー（図示せず）が押されることにより、給紙台７上の印刷用紙６が給紙され、この印刷用紙６が版胴１とプレスローラ２との間に送り込まれることによりシアンインキＣ（特色）による第１色目の画像の印刷が行われる。第１色目の画像の印刷が行われた印刷用紙６は搬送機構９により版胴１ａ側へ搬送され、版胴１ａとプレスローラ２ａとの間に送り込まれることによりブラックインキＫによる第２色目の画像の印刷が行われ、第２色目の画像の印刷が行われた印刷用紙６は搬送機構９ａにより搬送されて排紙トレイ１０上へ排紙されることによりシアン、ブラックの２色の単色カラー印刷が終了する。
【００５０】
このようにして、本実施の形態によれば、特色分解に対応していないアプリケーションからもカラー成分を含んだ既存の文書データに関して、２色の単色カラー印刷を要する場合には、プリンタドライバ３１上で２色分解を指定し、かつ、分版用閾値としての階調値を指定するだけで、連続的に２版の分版データを生成させることができ、特色分版用の特別なアプリケーションを必要とせず、汎用性が増す。この際、分版するのは、特定の階調を持ったテキスト、図形、画像なるオブジェクトであるので、予め文書データ中で色を定義しておく必要はない。換言すれば、モノクロで階調表現可能な文書データであれば分版処理の対象となり得るもので、ページ記述言語はもちろん、エミュレーション、プリンタコマンド等も対象となり得るもので、汎用性の高いものとなる。結果として、入力される文書データがモノクロ原稿画像の場合であってもこれをその階調に従い２色に分版して２色の印刷を行わせることにより色付きの原稿として宣伝効果を持たせることも可能となる。
【００５１】
この際、印刷処理に際しては、操作部３９の操作により、分版用閾値として指定された階調値に対して印刷時の階調値を補正自在としてもよい。即ち、操作部３９において階調値調整モードキーを押下すると、操作部３９における液晶タッチパネル構成の表示操作部５１には例えば図５に示すような態様で階調値調整モード設定画面５２が出現するように設定されている。
【００５２】
この階調値調整モード設定画面５２は、“１２８”で示すように階調値の調整量として、階調処理部（図示せず）における階調値の数値を直接、矢印キー５３、設定キー５４の操作より増減設定するものである。ここでは、“０”〜“２５５”なる２５６階調の範囲内で任意に設定可能とされている。このような階調値調整量に関するデータはＣＰＵ３３により取り込まれて印刷処理時の階調値制御に供される。これにより、ユーザ所望通りの階調による印刷仕上りとすることができる。
【００５３】
なお、本実施の形態では、パソコン３２より入力される文書データ（既に作成されて保存されていた文書データを含む）を対象としたが、スキャナにより読み込まれて入力される原稿画像データであってもよい。
【００５４】
また、本実施の形態では、印刷部Ｐ，Ｐ′による印刷色をシアンＣとブラックＫとしたが、イエローＹやマゼンタＭを用いてもよい。
【００５５】
また、本実施の形態の孔版印刷装置では、２つの版胴１，１ａを有する単色カラー孔版印刷装置への適用例としたが、例えば、版胴取付個所を１個所のみとし、最初の版胴を用いて１版目で印刷された用紙６を再度給紙台７上に載せ、版胴を交換して２色目のマスタを巻き付けて２版目で重ね印刷させるようにした孔版印刷装置であってもよい。これは、製版部４，４ａ側についても同様である。さらには、３つ以上の版胴や製版部を備える孔版印刷装置であって、そのうちの２つ（２色分）を使うようにしてもよい。要は、１つ以上の版胴と１つ以上の製版部とを備えていればよい。
【００５６】
【発明の効果】
請求項１記載の発明の２色分版方法によれば、入力された階調表現可能なカラー情報を含む文書データを多階調のグレースケールデータに変換してカラー情報を破棄するモノクログレースケールデータに変換し、前記文書データ中に含まれるＮ色中の一色のデータもグレースケールデータに変換され、分版用閾値に対応する階調値として設定され、分版用閾値として指定された所望の階調値を境に前記モノクログレースケールデータを２分して２版の分版データを生成するようにしたので、特色分版用の特別なアプリケーションソフトを用いることなく、任意の一般的なアプリケーションソフトにより作成された文書データに関して簡便に２色の単色カラー印刷用の分版データを作成することができる。また、分版用閾値の指定、即ち、いわゆる特色の指定を文書データ中に含まれるＮ色中の１色を指定するようにしたので、細かい指定や調整は必要なく簡潔的な指定方法となる。
【００５７】
請求項２記載の発明の２色分版方法によれば、基本的には請求項１記載の発明と同様であるが、特に、典型例として、色情報を含む文書データに関して特色分解に対応していないアプリケーションから入力された場合であっても、特色を指定した２色分解による分版を連続的に行わせることができる。
【００５９】
請求項３記載の発明によれば、請求項１又は２記載の２色分版方法において、オブジェクトの種類に応じてそのオブジェクトを分版の対象とするか否かを取捨選択する編集機能を持たせることができ、ユーザ所望通りの仕上りとすることができる。
【００６０】
請求項４記載の発明の２色分版装置によれば、階調表現の典型例でありグレースケール変換手段により０％から１００％まで濃度を変化させてなるモノクログレースケールデータを利用するものとし、カラー情報を含む文書データをモノクログレースケールデータに変換した後、指定手段により分版用閾値として指定された階調値を境にモノクログレースケールデータを閾値判別手段により２分し、メモリ展開手段により２版の分版データを生成するようにしたので、特色分版用の特別なアプリケーションソフトを用いることなく、任意の一般的なアプリケーションソフトにより作成された文書データに関して簡便に２色の単色カラー印刷用の分版データを作成することができる。また、分版用閾値の指定、即ち、いわゆる特色の指定は文書データ中に含まれるＮ色中の１色を指定するようにしたので、細かい指定や調整は必要なく簡潔的な指定方法となる。
【００６１】
請求項５記載の発明の２色分版装置によれば、基本的には請求項４記載の発明と同様であるが、特に、典型例として、色情報を含む文書データに関して特色分解に対応していないアプリケーションから入力された場合であっても、特色を指定した２色分解による分版を連続的に行わせることができる。
【００６３】
請求項６記載の発明によれば、請求項４又は５記載の２色分版装置において、オブジェクトの種類に応じてそのオブジェクトを分版の対象とするか否かを取捨選択する編集機能を持たせることができ、ユーザ所望通りの仕上りとすることができる。
【００６４】
請求項７記載の発明の孔版印刷装置によれば、請求項４ないし６の何れか一に記載の２色分版装置を利用することにより連続的に２色の分版を製版することができ、２色の単色カラー印刷への対応が容易な孔版印刷装置を提供できる。
【００６５】
請求項８記載の発明によれば、請求項７記載の孔版印刷装置において、印刷部は、分版用閾値として指定された階調値に対して印刷時の階調値が補正自在としたので、ユーザ所望通りの印刷仕上りとすることができる。
【図面の簡単な説明】
【図１】本発明の一実施の形態を示す２色の単色カラー孔版印刷装置の概略構成図である。
【図２】制御構成を示すブロック図である。
【図３】２色分版処理機能を実現するための構成を示す機能的ブロック図である。
【図４】２色分版処理例を示すフローチャートである。
【図５】印刷階調値調整モードの設定画面例を示す平面図である。
【符号の説明】
Ｐ，Ｐ′  印刷部
４，４ａ  製版部
４１      グレースケール変換手段
４２      オブジェクト判別手段
４３      閾値判別手段
４４      メモリ展開手段
４５      出力手段
４６ａ    第１の分版データ
４６ｂ    第２の分版データ
４７      ページメモリ
【図１】
0004179490.tif 000002
【図２】
0004179490.tif 000003
【図３】
0004179490.tif 000004
【図４】
0004179490.tif 000005
【図５】
0004179490.tif 000006